(57)【要約】【課題】本発明は、屋根の断熱性を確保すると共に通気性を向上せしめ、特に隅部や谷部の結露を防止することを課題とする。【解決手段】野地面材２と断熱主板３Ａとの間に、断熱介挿板３Ｂの厚み分の通気路４Ａが形成され、上記断熱介挿板３Ｂに横通気路４Ｂを設けた屋根パネル１Ｂを、寄棟部１７Ｂと主屋根部１７Ａの上記寄棟部１７Ｂの両側にあたる部分と、または分岐屋根部１７Ｃおよび上記主屋根部１７Ａにおける上記分岐屋根部１７Ｃとの境界線より棟側部分と、に使用することによって屋根１７に棟通気路１１Ａ、隅通気路１１Ｂ、谷通気路１１Ｃ、縦通気路４Ａ、横通気路４Ｂを形成し円滑な換気を確保した屋根の通気構造を提供する。【選択図】  図１１
2010121378.tif 000002
【特許請求の範囲】
【請求項１】
プラスチック発泡体からなる断熱主板の上面に、該上面の両側縁に沿ってプラスチック発泡体からなる細長の断熱介挿板をそれぞれ貼着することによって構成される断熱材の複数枚を、
上記断熱介挿板の長手方向である縦方向に直交する横方向に沿って、垂木横巾分の間隙を介して野地面材の下面に接着することによって上記断熱材間に垂木嵌合溝を形成し、
上記野地面材と上記断熱主板との間に上記断熱介挿板の厚み分の縦通気路を形成し、
更に上記両側縁の断熱介挿板には一個または二個以上の横通気路を貫通した
ことを特徴とする屋根パネル。
【請求項２】
請求項１に記載の屋根パネルが、垂木嵌合溝に屋根骨格の垂木が介挿されることにより、該屋根骨格上に被着され、該垂木の上面と前記野地面材の下面とが面接触した面接触部分で該垂木と該野地面材とが接合されている
ことを特徴とする通気屋根下地構造。
【請求項３】
主屋根部と、上記主屋根部の両端に形成した寄棟部とからなる寄棟屋根において、
プラスチック発泡体からなる断熱主板と、上記断熱主板の上面の両側縁に沿って貼着されプラスチック発泡体からなる細長の断熱介挿板とからなる断熱材の複数枚を、
上記断熱介挿板の長手方向である縦方向に直交する横方向に沿って、垂木横巾分の間隙を介して野地面材の下面に配設して接着することによって上記断熱材間に垂木嵌合溝を形成し、
上記野地面材と上記断熱主板との間に上記断熱介挿板の厚み分の縦通気路を形成した屋根パネルを使用し、
上記屋根パネルは、屋根骨格の垂木上に被着し、該垂木を該屋根パネルの上記断熱材の垂木嵌合溝に嵌合し、また屋根の軒先にあっては、上記屋根パネルの縦通気路の軒先端を外気に直接開放しておき、
上記屋根の棟部にあっては、棟木に沿って一対の屋根パネルを対向せしめ、該棟木の上方で互いに突き合わせることにより、一対の屋根パネル間に棟通気路を設けて、該棟通気路に該屋根パネルの縦通気路の棟側端を開放し、
上記寄棟部と、上記主屋根部の上記寄棟部の両側にあたる部分と、には請求項１に記載の屋根パネルを使用した
ことを特徴とする寄棟屋根の通気構造。
【請求項４】
上記主屋根部と上記寄棟部との境界線である隅部にあっては、
一対の屋根パネルを隅木に沿って対向させ、上記断熱材の断熱主板上面を該隅木の天面と一致せしめて隅木によって該断熱材の縦通気路が閉塞されないようにすることで、一対の屋根パネル間に隅通気路を設けて、該隅通気路に該屋根パネルの縦通気路の隅側端を開放しておく
請求項３に記載の寄棟屋根の通気構造。
【請求項５】
上記屋根パネルの野地面材の上面に屋根材を葺設し、棟部と隅部の所定個所に換気部材を被着することにより、棟通気路と隅通気路とを該換気部材を介して外気に開放した
請求項３または請求項４に記載の寄棟屋根の通気構造。
【請求項６】
主屋根部と、上記主屋根部の一側から分岐屋根部が分岐された分岐屋根において、
プラスチック発泡体からなる断熱主板と、上記断熱主板の上面の両側縁に沿って貼着されプラスチック発泡体からなる細長の断熱介挿板とからなる断熱材の複数枚を、
上記断熱介挿板の長手方向である縦方向に直交する横方向に沿って、垂木横巾分の間隙を介して野地面材の下面に配設して接着することによって上記断熱材間に垂木嵌合溝を形成し、
上記野地面材と上記断熱主板との間に上記断熱介挿板の厚み分の縦通気路を形成した屋根パネルを使用し、
上記屋根パネルは、屋根骨格の垂木上に被着し、該垂木を該屋根パネルの上記断熱材の垂木嵌合溝に嵌合し、また屋根の軒先にあっては、上記屋根パネルの縦通気路の軒先端を外気に直接開放しておき、
上記屋根の棟部にあっては、棟木に沿って一対の屋根パネルを対向せしめ、該棟木の上方で互いに突き合わせることにより、一対の屋根パネル間に棟通気路を設けて、該棟通気路に該屋根パネルの縦通気路の棟側端を開放し、
上記分岐屋根部および上記主屋根部における上記分岐屋根部との境界線より棟側部分と、には請求項１に記載の屋根パネルを使用した
ことを特徴とする分岐屋根の通気構造。
【請求項７】
上記主屋根部と上記分岐屋根部との境界線である谷部にあっては、
対向する一対の屋根パネルを、谷木を介して対向させ、
該断熱材の断熱主板上面を谷木の天面と一致せしめて谷木によって該断熱材の縦通気路が閉塞されないようにすることで、一対の屋根パネル間に谷通気路を設けて、該谷通気路を該屋根パネルの縦通気路を介して棟通気路に連通せしめた
請求項６に記載の分岐屋根の通気構造。
【発明の詳細な説明】
【技術分野】
【０００１】
本発明は、屋根に通気性を付与するために使用される屋根パネル、および上記屋根パネルを使用した通気性屋根下地構造、寄棟屋根および分岐屋根の通気構造に関するものである。
【背景技術】
【０００２】
従来、図１および図２に示すようなプラスチック発泡体からなる断熱主板３Ａの上面に該上面の両側縁に沿ってプラスチック発泡体からなる細長の断熱介挿板３Ｂを貼着することによって構成される断熱材３の複数枚を、上記断熱介挿板３Ｂの長手方向である縦方向に直交する横方向に沿って垂木横巾分の間隙を介して野地面材２と上記断熱主板３Ａとの間に上記断熱介挿板３Ｂの厚み分の縦通気路４を形成し、左右の断熱材３の間に垂木嵌合溝５を形成した屋根パネル１Ａが提供されている。
上記屋根パネル１Ａは屋根骨格の垂木６に被着され、上記屋根パネル１Ａの垂木嵌合溝５に上記垂木６が嵌合され、この状態で上記垂木６の上面と上記野地面材２の下面とが面接触して屋根下地構造が構成される。
【０００３】
【特許文献１】特開２００８−２３１８６４号公報
【特許文献２】特開平９−４９２９２号公報
【発明の開示】
【発明が解決しようとする課題】
【０００４】
上記屋根下地構造にあっては、垂木６と野地面材２との面接触部分には断熱材が存在しないから、熱橋が形成され断熱欠損部となる。そこでこの断熱欠損部を補完する手段としては、垂木６の側面に接触している断熱主板３Ａと断熱介挿板３Ｂの厚みを増やす手段か、あるいは断熱介挿板３Ｂの横巾を拡大する手段が考えられる。
しかし断熱主板３Ａや断熱介挿板３Ｂの厚みは垂木６の縦巾によって制限され、また断熱介挿板３Ｂの横巾を拡大すると縦通気路４の横巾がその分縮小され、縦通気路４の断面積が小さくなって充分な換気量が確保されないという問題点がある。
特に寄棟屋根にあっては、寄棟部や主屋根部の寄棟部の両側にあたる部分、あるいは分岐屋根にあっては、分岐屋根部および主屋根部における上記分岐屋根との境界線より棟側部分には湿気が蓄積し易く、充分な換気を確保しないとその部分で結露が生じると云う問題点がある。
【課題を解決するための手段】
【０００５】
本発明は上記従来の課題を解決するための手段として、プラスチック発泡体からなる断熱主板３Ａの上面に、該上面の両側縁に沿ってプラスチック発泡体からなる細長の断熱介挿板３Ｂをそれぞれ貼着することによって構成される断熱材３の複数枚を、上記断熱介挿板３Ｂの長手方向である縦方向に直交する横方向に沿って、垂木６横巾分の間隙を介して野地面材２の下面に接着することによって上記断熱材３間に垂木嵌合溝５を形成し、上記野地面材２と上記断熱主板３Ａとの間に上記断熱介挿板３Ｂの厚み分の縦通気路４Ａを形成し、更に上記両側縁の断熱介挿板３Ｂには一個または二個以上の横通気路４Ｂを貫通した屋根パネル１Ｂを提供するものである。
更に本発明は、上記屋根パネル１Ｂが、垂木嵌合溝５、５Ａに屋根骨格の垂木６が介挿されることにより、該屋根骨格上に被着され、該垂木６の上面と前記野地面材２の下面とが面接触した面接触部分で該垂木６と該野地面材２とが接合されている通気屋根下地構造を提供するものである。
また更に本発明においては、主屋根部１７Ａと、上記主屋根部１７Ａの両端に形成した寄棟部１７Ｂとからなる寄棟屋根において、プラスチック発泡体からなる断熱主板３Ａと、上記断熱主板３Ａの上面の両側縁に沿って貼着されプラスチック発泡体からなる細長の断熱介挿板３Ｂとからなる断熱材３の複数枚を、上記断熱介挿板３Ｂの長手方向である縦方向に直交する横方向に沿って、垂木６横巾分の間隙を介して野地面材２の下面に配設して接着することによって上記断熱材３間に垂木嵌合溝５を形成し、上記野地面材２と上記断熱主板３Ａとの間に上記断熱介挿板３Ｂの厚み分の縦通気路４Ａを形成した屋根パネル１Ａを使用し、上記屋根パネル１Ａは、屋根骨格の垂木６上に被着し、該垂木６を該屋根パネル１Ａの上記断熱材３の垂木嵌合溝５、５Ａに嵌合し、また屋根の軒先にあっては、上記屋根パネル１Ａの縦通気路４Ａの軒先端を外気に直接開放しておき、上記屋根の棟部１７１にあっては、棟木７Ｃに沿って一対の屋根パネル１Ａ、１Ａを対向せしめ、該棟木７Ｃの上方で互いに突き合わせることにより、一対の屋根パネル１Ａ、１Ａ間に棟通気路１１Ａを設けて、該棟通気路１１Ａに該屋根パネル１Ａ、１Ａの縦通気路４Ａの棟側端を開放し、上記寄棟部１７Ｂと上記主屋根部１７Ａの上記寄棟部１７Ｂの両側にあたる部分と、には上記屋根パネル１Ｂを使用した寄棟屋根の通気構造が提供される。
この場合、上記主屋根部１７Ａと上記寄棟部１７Ｂとの境界線である隅部１７２にあっては、一対の屋根パネル１Ｂ、１Ｂを隅木７Ｄに沿って対向させ、上記断熱材３の断熱主板３Ａ上面を該隅木７Ｄの天面と一致せしめて隅木７Ｄによって該断熱材３の縦通気路４Ａが閉塞されないようにすることで、一対の屋根パネル１Ｂ、１Ｂ間に隅通気路１１Ｂを設けて、該隅通気路１１Ｂに該屋根パネル１Ｂの縦通気路４Ａの隅側端を開放しておくことが望ましく、また上記屋根パネル１Ｂ、１Ｂの野地面材２の上面に屋根材を葺設し、棟部１７１と隅部１７２の所定個所に換気部材１６を被着することにより、棟通気路１１Ａと隅通気路１１Ｂとを該換気部材１６を介して外気に開放することが望ましい。
更に本発明においては、主屋根部１７Ａと、上記主屋根部１７Ａの一側から分岐屋根部１７Ｃが分岐された分岐屋根において、プラスチック発泡体からなる断熱主板３Ａと、上記断熱主板３Ａの上面の両側縁に沿って貼着されプラスチック発泡体からなる細長の断熱介挿板３Ｂとからなる断熱材３の複数枚を、上記断熱介挿板３Ｂの長手方向である縦方向に直交する横方向に沿って、垂木６横巾分の間隙を介して野地面材２の下面に配設して接着することによって上記断熱材３間に垂木嵌合溝５を形成し、上記野地面材２と上記断熱主板３Ａとの間に上記断熱介挿板３Ｂの厚み分の縦通気路４Ａを形成した屋根パネル１Ａを使用し、上記屋根パネル１Ａは、屋根骨格の垂木６上に被着し、該垂木６を該屋根パネル１Ａの上記断熱材３の垂木嵌合溝５、５Ａに嵌合し、また屋根の軒先にあっては、上記屋根パネル１Ａの縦通気路４Ａの軒先端を外気に直接開放しておき、上記屋根の棟部１７１にあっては、棟木７Ｃに沿って一対の屋根パネル１Ａ、１Ａを対向せしめ、該棟木７Ｃの上方で互いに突き合わせることにより、一対の屋根パネル１Ａ、１Ａ間に棟通気路１１Ａを設けて、該棟通気路１１Ａに該屋根パネル１Ａ、１Ａの縦通気路４Ａの棟側端を開放し、上記分岐屋根部１７Ｃおよび上記主屋根部１７Ａにおける上記分岐屋根部１７Ｃとの境界線より棟側部分と、には上記屋根パネル１Ｂを使用した分岐屋根の通気構造が提供される。
この場合、上記主屋根部１７Ａと上記分岐屋根部１７Ｃとの境界線である谷部１７３にあっては、対向する一対の屋根パネル１Ｂ、１Ｂを、谷木７Ｅを介して対向させ、該断熱材３の断熱主板３Ａ上面を谷木７Ｅの天面と一致せしめて谷木７Ｅによって該断熱材３の縦通気路４Ａが閉塞されないようにすることで、一対の屋根パネル１Ｂ、１Ｂ間に谷通気路１１Ｃを設けて、該谷通気路１１Ｃを該屋根パネル１Ｂ、１Ｂの縦通気路４Ａを介して棟通気路１１Ａに連通せしめることが望ましい。
【発明の効果】
【０００６】
〔作用〕
本発明の屋根パネル１Ｂを使用した屋根は、上記屋根パネル１Ｂの垂木嵌合溝５に垂木６を嵌合した状態で、野地面材２の下面と上記垂木６の上面とが断熱材３を介することなく直接接触して熱橋を形成し、断熱欠損部となる。上記断熱欠損部を補完するために上記屋根パネル１Ｂの断熱介挿板３Ｂの横巾を拡大すると、断熱主板３Ａと上記野地面材２との間に形成されている縦通気路４Ａの横巾が縮小されるが、上記屋根パネル１Ｂの断熱材３の断熱介挿板３Ｂには横通気路４Ｂが形成されているので、上記縦通気路４Ａ相互が上記横通気路４Ｂによって連通し、その結果縦横方向に換気が行われる。
【０００７】
〔効果〕
したがって本発明にあっては、断熱材３の垂木嵌合部分の断熱欠損部を補完するために垂木に接している断熱材３の断熱介挿板３Ｂの横巾を拡大して縦通気路４Ａの断面積を縮小しても、充分な換気量が確保出来、屋根の結露、特に寄棟屋根や分岐屋根の結露が効果的に防止出来る。
【発明を実施するための最良の形態】
【０００８】
本発明を図１〜図１２に示す一実施例によって以下に説明する。
図１及び図２に示すように、本発明の屋根の通気構造で使用する屋根パネル１Ａは、野地面材２と、該野地面材２の下面に接着剤によって接着されている断熱材３とによって構成されている。
上記断熱材３は、断熱主板３Ａと、上記断熱主板３Ａの上面に該上面の両側縁に沿って貼着される細長の断熱介挿板３Ｂとからなる。該断熱主板３Ａ及び該断熱介挿板３Ｂは、ポリスチレン発泡体、ポリエチレン発泡体、ポリプロピレン発泡体、半硬質ポリウレタン発泡体、上下両面にプラスチックフィルムが貼着されている半硬質ポリウレタン発泡体、あるいはフェノール樹脂発泡体、メラミン樹脂発泡体等のプラスチック発泡体を材料として形成されている。
該断熱材３の複数枚は野地面材２の下面に接着されるがこの際、該断熱材３相互は垂木巾を介して（垂木６の巾だけ間隔を空けて）上記断熱介挿板３Ｂの長手方向である縦方向に直交する横方向に沿って配置されることにより、一対の断熱材３の間に垂木嵌合溝５が形成されている。そして、該野地面材２と、該断熱材３の断熱主板３Ａとの間には、該断熱介挿板３Ｂの厚み分の縦巾の縦通気路４Ａが形成されている。
また、該屋根パネル１Ａの両端においては、野地面材２を断熱介挿板３Ｂの側縁から延出せしめ、該延出部分３Ｃの横巾を垂木嵌合溝５Ａの横巾の１／２に設定しておく。かくして図３に示すように、上記屋根パネル１Ａを横方向に配設した状態で、上記屋根パネル１Ａの相互間に垂木嵌合溝５Ａが形成されることになる。
【０００９】
更に図４に示す屋根パネル１Ｂは、上記屋根パネル１Ａの断熱介挿板３Ｂに一個または二個以上の横通気路４Ｂを形成したものである。
上記屋根パネル１Ａ、１Ｂにおいて、例えば断熱主板３Ａの厚さは５５ｍｍ、横巾は４１０ｍｍ、断熱介挿板３Ｂの厚さは２０ｍｍ、横巾は３０〜１２０ｍｍの範囲に設定される。そして垂木６の横巾は４５ｍｍ、野地面材２の厚さは１２ｍｍ、屋根パネル１Ａ、１Ｂの全横巾は９１０ｍｍ、横通気路４Ｂの巾は１００ｍｍ以上、深さは１０ｍｍ以上である。
【００１０】
本発明が適用される屋根骨格の一例を図５に示す。図５イ）において上記屋根１７は両端に寄棟部１７Ｂを形成した寄棟主屋根部１７Ａの一端から分岐屋根部１７Ｃを分岐させた寄棟分岐屋根であって、棟部１７１、隅部１７２、谷部１７３が存在する。図５ロ）は上記屋根１７において屋根パネル１Ｂが適用される箇所を斜線部にて示した図であり、図中の矢印は本発明における屋根構造の通気方向を示す。
【００１１】
図６に示すように、上記屋根パネル１Ａは、断熱材３の垂木嵌合溝５，５Ａを垂木６に嵌合させることにより、屋根骨格の垂木６上に被着される。
断熱効率を高めるため、該断熱介挿板３Ｂの厚みは２０ｍｍ以上とすることが望ましい。そして、該屋根パネル１Ａの横方向の相互接続部においては、図６に示すように該断熱材３と垂木６との間に垂木シール材８を介在させることによって気密性を確保している。
【００１２】
図７に示すように、主屋根部１７Ａと分岐屋根部１７Ｃにおいて、該垂木６は、軒桁７Ａ、母屋７Ｂ、棟木７Ｃによって下方側（屋内側）から支持されている。また特に図示はしないが、該垂木６は、軒桁７Ａ、母屋７Ｂによって下方側（屋内側）から支持され、隅木７Ｄの側面に接合されている。そして該主屋根部１７Ａと該分岐屋根部１７Ｃの軒先部にあって該屋根パネル１Ａ（１Ｂ）の通気路４Ａの軒先側端は、外気に開放されている。
また主屋根部１７Ａと分岐屋根部１７Ｃの軒先部にあっては、該断熱材３の断熱主板３Ａの下面を壁断熱材２０の上端に当接させ、さらに該屋根パネル１Ａ（１Ｂ）の断熱材３の断熱主板３Ａの下面と該壁断熱材２０の上端との間に形成された隙間に軒先シール材９を充填することにより、屋根の断熱材３と壁断熱材２０との接合部で断熱構造の連続性が断たれることを防止している。該軒先シール材９は、軟質ポリウレタン発泡体、軟質ポリ塩化ビニル発泡体、合成ゴムスポンジ等の軟質プラスチック発泡体からなる。
主屋根部１７Ａと分岐屋根部１７Ｃの棟部１７１にあっては、左右の屋根パネル１Ａ，１Ａが棟木７Ｃの上方で互いに突き合わされており、これら屋根パネル１Ａ，１Ａの接合部の隙間に棟部シール材１０を充填することにより、断熱構造の連続性が断たれることを防止している。該棟部シール材１０は、上記軒先シール材９と同様の軟質プラスチック発泡体からなる。該棟部シール材１０は、該屋根パネル１Ａの通気路４Ａを閉塞しないようにするため、該屋根パネル１Ａの断熱材３の断熱主板３Ａ間に充填されている。また左右の屋根パネル１Ａ，１Ａ間には、棟部１７１に沿って棟通気路１１Ａが形成されており、該屋根パネル１Ａ，１Ａの各通気路４Ａ，４Ａの棟側端が該棟通気路１１Ａに開放されるように設定されている。
【００１３】
図８に示すように、該屋根パネル１Ａの野地面材２の上面には、屋根材１２が葺設される。棟部１７１にあっては、笠木１３，１３を介して水切り板１４が被覆されている。
そして、図９に示すように、棟部１７１の所定個所には換気部材１６が被着されており、主屋根部１７Ａの該棟通気路１１Ａが該換気部材１６を介して外気に開放されるように設定されている。
図１０に示すように、該換気部材１６は、ポリプロピレン、ポリ塩化ビニル等のプラスチックを材料とし、笠形の水切り板１６Ａと、該水切り板１６Ａの下面両側に接着される通気性ブロック１６Ｂとからなる。該通気性ブロック１６Ｂには、例えばハニカム状に多数の連通孔が設けられている。
【００１４】
図１１に示すように、上記主屋根部１７Ａと分岐屋根部１７Ｃの隅部１７２において、対向する左右の屋根パネル１Ｂ，１Ｂは、垂木６Ａ上に被着されるとともに、隅木７Ｄを介して対向しており、さらに上記断熱材３の断熱主板３Ａ上面が隅木７Ｄの左右天面と一致せしめられている。また左右の屋根パネル１Ｂ，１Ｂ間には、隅部１７２に沿って隅通気路１１Ｂが形成されており、該屋根パネル１Ｂ，１Ｂの各通気路４Ａ，４Ａの隅側端が該隅通気路１１Ｂに開放されるように設定されている。そして、隅部１７２の所定個所には換気部材１６が被着されており、該隅通気路１１Ｂが該換気部材１６を介して外気に開放されるように設定されている。
なお隅木７Ｄ側面にはその両側の屋根パネル１Ｂ，１Ｂの断熱材３の端面を密接させ、更に該断熱主板３Ａの接合部下端を断熱シール材によってシールして、隅部はその気密性が確保される。
【００１５】
上記主屋根部１７Ａおよび上記分岐屋根部１７Ｃの棟部１７１にあっては、軒先側の換気は屋根パネル１Ａの通気路４Ａの軒先端が直接外気に開放していることによって行なわれ、棟側換気は屋根パネル１Ａの通気路４Ａが棟通気路１１Ａに開放され、該棟通気路１１Ａが該換気部材１６を介して外気に開放されることによって行なわれる。
また隅部１７２にあっては、谷部１７３を除く軒先側の換気は屋根パネル１Ｂの通気路４Ａの軒先端が直接外気に開放していることによって行なわれ、隅側換気は屋根パネル１Ｂの通気路４Ａが隅通気路１１Ｂに開放され、該隅通気路１１Ｂが該換気部材１６を介して外気に開放され、更に各屋根パネル１Ｂの横通気路４Ｂが、各屋根パネル１Ｂの通気路４Ａ間の通気を図ることによって行なわれる。
【００１６】
一方、谷部１７３にあっては、図１２に示すように、左右の屋根パネル１Ｂ，１Ｂの断熱材３の断熱主板３Ａの間に谷木７Ｅが嵌合された状態とし、該断熱主板３Ａの上面、即ち垂木６の上面と谷木７Ｅの左右天面とを一致させている。その際、左右の屋根パネル１Ｂ，１Ｂの各野地面材２と各断熱材３の断熱介挿板３Ｂの間には、谷に沿って谷通気路１１Ｃが形成され、該谷通気路１１Ｃの上部を塞ぐように、逆笠形の水切り板１４Ａが被着されている。なお谷木７Ｅ側面には、その両側の屋根パネル１Ｂ，１Ｂの断熱材３の端面を密接させ、更に該断熱主板３Ａの接合部下端は断熱シール材１０Ｂによってシールして、気密性を確保する。
【００１７】
該谷部１７３において、屋根パネル１Ｂの縦通気路４Ａの谷側端は、谷通気路１１Ｃに開放され、また該屋根パネル１Ｂの縦通気路４Ａの棟側あるいは隅側は、棟部１７１の棟通気路１１Ａ、あるいは隅部１７２の隅通気路１１Ｂに開放され、各屋根パネル１Ｂの縦通気路４Ａ間は横通気路４Ｂによって連絡されている。
上記谷部１７３の換気は、谷通気路１１Ｃが屋根パネル１Ｂの縦通気路４Ａを介して棟部１７１の棟通気路１１Ａ、あるいは隅部１７２の隅通気路１１Ｂに開放され、該棟通気路１１Ａまたは隅通気路１１Ｂが該換気部材１６を介して外気に開放され、更に各屋根パネル１Ｂの横通気路４Ｂによって各屋根パネル１Ｂ間の通気を図ることによって行なわれる。従って、谷部１７３に集中しようとする湿気は、谷通気路１１Ｃに集まりつつ、通気路４Ａを介して棟部１７１の棟通気路１１Ａ、あるいは隅部１７２の隅通気路１１Ｂに流れ、該棟通気路１１Ａまたは隅通気路１１Ｂから換気部材１６を介して外気に開放されるため、谷部１７３の結露が防止される。
上記実施例では、寄棟部と分岐屋根部との両方を有する屋根を取り上げたが、本発明は寄棟部のみを有する屋根あるいは分岐屋根部のみを有する屋根に適用されてもよい。
なお、屋根パネル１Ｂは主屋根部１７Ａ全体に配置されてもよい。
【産業上の利用可能性】
【００１８】
本発明においては、屋根構造の断熱欠損部を補完して屋根断熱効果を向上させた場合でも、特に寄棟部や分岐屋根部において効率よく屋根の換気を図る事が出来、もって結露を効果的に防止するものであるから、産業上利用可能である。
【図面の簡単な説明】
【００１９】
図１〜図１２は本発明の一実施例を示すものである。
【図１】屋根パネル１Ａの部分斜視図である。
【図２】屋根パネル１Ａの横断面図である。
【図３】屋根パネル１Ａを横方向に配設した状態を示す横断面図である。
【図４】屋根パネル１Ｂの部分斜視図である。
【図５】寄棟分岐屋根の説明図である。
【図６】屋根パネルを屋根骨格上に被着した状態の部分横断面図である。
【図７】図５におけるＡ−Ａ断面図である。
【図８】棟部の横断面図（水切り板取付け部分）である。
【図９】棟部の横断面図（換気部材取付け部分）である。
【図１０】換気部材の正面図である。
【図１１】図５におけるＢ−Ｂ断面図である。
【図１２】図５におけるＣ−Ｃ断面図である。
【符号の説明】
【００２０】
１Ａ，１Ｂ        屋根パネル
２            野地面材
３            断熱材
３Ａ          断熱主板
３Ｂ          断熱介挿板
４Ａ          縦通気路
４Ｂ          横通気路
５，５Ａ          垂木嵌合溝
６，６Ａ          垂木
７Ｃ          棟木
７Ｄ          隅木
７Ｅ          谷木
８，９，１０      シール材
１１Ａ          棟通気路
１１Ｂ          隅通気路
１１Ｃ          谷通気路
１６            換気部材
１７            屋根
１７Ａ          主屋根部
１７Ｂ          寄棟部
１７Ｃ          分岐屋根部
１７３          谷部
【図１】
2010121378.tif 000003
【図２】
2010121378.tif 000004
【図３】
2010121378.tif 000005
【図４】
2010121378.tif 000006
【図５】
2010121378.tif 000007
【図６】
2010121378.tif 000008
【図７】
2010121378.tif 000009
【図８】
2010121378.tif 000010
【図９】
2010121378.tif 000011
【図１０】
2010121378.tif 000012
【図１１】
2010121378.tif 000013
【図１２】
2010121378.tif 000014